(57)【特許請求の範囲】
【請求項１】
透液性トップシートと、不透液性バックシートと、それらシートの間に介在する吸液性コアとを有する積層パネルから構成され、長手方向に前後胴周り域およびそれら胴周り域の間に位置する股下域が画成され、前記コアの両側縁の外側に一対のサイドフラップが形成され、長手方向へ延びる脚周り用弾性部材が前記サイドフラップに伸長状態で取り付けられ、前記パネルの上面から上方へ起立性向を有する一対の不透液性防漏カフが前記サイドフラップに配置され、前記カフが、長手方向へ延びる第１弾性部材を伸長状態で取り付けた自由部と、前記サイドフラップの上面に固着された固定側部と、前記前後胴周り域に位置して前記パネルの幅方向内方へ倒伏した固定両端部とを有する使い捨ておむつにおいて、
前記サイドフラップが、前記コアの側縁の外側近傍で終わる前記トップシートの側部から幅方向外方へ延びる前記バックシートの側部と前記カフの固定側部とから形成され、前記股下域に位置して長手方向へ延びる第２弾性部材が、前記第１弾性部材の下方であって前記カフの自由部における固定側部の側に偏倚した位置に伸長状態で取り付けられ、
前記脚周り用弾性部材が、前記股下域の前半分に沿って実質的に円弧を画いて延びる第３弾性部材と、前記股下域の後半分に沿って実質的に円弧を画いて延びる第４弾性部材とから形成され、前記第３弾性部材が、前記股下域の長手方向中央部に位置して前記パネルを横切る中間部分と、前記サイドフラップに位置する両側部分とを有し、前記第４弾性部材が、前記股下域の長手方向中央部に位置して前記第３弾性部材の中間部分から長手方向へ離間して前記パネルを横切る中間部分と、前記サイドフラップに位置する両側部分とを有し、前記第２弾性部材の中央部分が、前記股下域の長手方向中央部において前記第３および第４弾性部材の中間部分の両側と立体的に交差するとともに、前記第２弾性部材の伸長応力が、前記第１弾性部材のそれよりも大きいことを特徴とする前記おむつ。
【発明の詳細な説明】
【０００１】
【発明の属する技術分野】
本発明は、使い捨ておむつに関する。
【０００２】
【従来の技術】
特開平８−２４２９１号公報は、脚周り用弾性部材が、脚周りの前半分に取り付けられた円弧状の第１弾性部材と、脚周りの後半分に取り付けられた円弧状の第２弾性部材と、股下域の中央部で第１および第２弾性部材と交差して長手方向へ延びる一対の第３弾性部材とによって構成された使い捨て着用物品を開示している。特開平８−２４２９１号公報に開示の物品では、それら第１〜第３弾性部材が協働して着用者の脚周りを囲むので、股下域からの排泄物の横漏れを防ぐことができる。
【０００３】
特開平８−３２２８７６号公報は、透液性トップシートと不透液性バックシートとの間に吸液性コアが介在する物品本体と、コアの両側縁の外側で長手方向へ延びていて本体の上面から上方へ起立性向を有する防漏カフとから形成された使い捨て着用物品を開示している。カフは、長手方向へ延びる弾性部材が伸長状態で取り付けられた自由部と、トップシートの外面に固着された固定側部と、物品の内側へ倒伏した状態でトップシートの外面に固着された固定両端部とを有し、物品がその上面を内側にして長手方向へ湾曲すると、弾性部材が収縮してカフの自由部が物品の上方へ起立する。カフは、肌への刺激を少なくするために疎水性の不織布やプラスチックフィルムで作られている。特開平８−３２２８７６号公報に開示の物品では、カフが障壁となり、排泄物の横漏れを防ぐことができる。
【０００４】
【発明が解決しようとする課題】
それら公報に開示された着用物品の組合せにおいて、着用者の脚周りを囲む第１〜第３脚周り用弾性部材と、自由部に長手方向へ延びる弾性部材が伸長状態で取り付けられた防漏カフとを有する着用物品を想起することができる。
【０００５】
しかし、第３弾性部材は、物品本体の側に取り付けられているので、第３弾性部材がカフの自由部の起立に寄与することはない。カフの自由部は、そこに取り付けられた弾性部材の収縮のみで起立する。カフは、その自由部が股下域において物品の幅方向内方へ倒れると、自由部の高さが低くなり、排泄物が自由部を乗り越えて股下域から物品の外側に漏れ出してしまう場合がある。
【０００６】
本発明の目的は、起立し易く、倒れ難い防漏カフを備え、排泄物の横漏れを防ぐことができる使い捨ておむつを提供することにある。
【０００７】
【課題を解決するための手段】
前述した課題を解決するための本発明の前提は、透液性トップシートと、不透液性バックシートと、それらシートの間に介在する吸液性コアとを有する積層パネルから構成され、長手方向に前後胴周り域およびそれら胴周り域の間に位置する股下域が画成され、前記コアの両側縁の外側に一対のサイドフラップが形成され、長手方向へ延びる脚周り用弾性部材が前記サイドフラップに伸長状態で取り付けられ、前記パネルの上面から上方へ起立性向を有する一対の不透液性防漏カフが前記サイドフラップに配置され、前記カフが、長手方向へ延びる第１弾性部材を伸長状態で取り付けた自由部と、前記サイドフラップの上面に固着された固定側部と、前記前後胴周り域に位置して前記パネルの幅方向内方へ倒伏した固定両端部とを有する使い捨ておむつである。
【０００８】
前記前提における本発明の特徴は、前記サイドフラップが、前記コアの側縁の外側近傍で終わる前記トップシートの側部から幅方向外方へ延びる前記バックシートの側部と前記カフの固定側部とから形成され、前記股下域に位置して長手方向へ延びる第２弾性部材が、前記第１弾性部材の下方であって前記カフの自由部における固定側部の側に偏倚した位置に伸長状態で取り付けられ、前記脚周り用弾性部材が、前記股下域の前半分に沿って実質的に円弧を画いて延びる第３弾性部材と、前記股下域の後半分に沿って実質的に円弧を画いて延びる第４弾性部材とから形成され、前記第３弾性部材が、前記サイドフラップに位置する両側部分と、前記股下域の長手方向中央部に位置して前記パネルを横切る中間部分とを有し、前記第４弾性部材が、前記サイドフラップに位置する両側部分と、前記股下域の長手方向中央部に位置して前記第３弾性部材の中間部分から長手方向へ離間して前記パネルを横切る中間部分とを有し、前記第２弾性部材の中央部分が、前記股下域の長手方向中央部において前記第３および第４弾性部材の中間部分の両側と立体的に交差するとともに、前記第２弾性部材の伸長応力が、前記第１弾性部材のそれよりも大きいことにある。
【０００９】
【００１０】
【００１１】
【００１２】
添付の図面を参照し、本発明に係る使い捨ておむつの詳細を説明すると、以下のとおりである。
【００１３】
図１は、積層パネル１で構成されたおむつの部分破断斜視図である。パネル１は、透液性トップシート２と、不透液性バックシート３と、トップシート２とバックシート３の間に介在し、それらシート２，３のうちの少なくとも一方の内面に接合された吸液性コア４とから形成されている。パネル１には、幅方向と交差する長手方向に前胴周り域２０と、後胴周り域２２と、それら前後胴周り域２０，２２の間に位置する股下域２１とが画成されている。
【００１４】
パネル１は、互いに対向して幅方向へ延びる両端縁２４を有する。パネル１には、コア４の両側縁から幅方向外方へ延出し、股下域２１における幅狭い部分と前後胴周り域２０，２２における幅広い部分とを有する一対のサイドフラップ１０が形成されている。サイドフラップ１０は、互いに対向して長手方向へ延びていて股下域２１においてパネル１の幅方向内方へ湾曲する両側縁２３を有する。サイドフラップ１０の上面には、コア４の両側縁の外側に位置して長手方向へ延びる一対の不透液性防漏カフ５が配置されている。
【００１５】
カフ５は、不織布シートから形成され、股下域２１においてトップシート２とバックシート３とのいずれにも固着されていない自由部５ａと、長手方向へ延びる固定側部５ｂと、前後胴周り域２０，２２に位置する固定両端部５ｃとを有する。カフ５の固定側部５ｂと固定両端部５ｃとの形状は、コア４の側縁から幅方向外方へ延びるバックシート３の側部の形状と同じである。
【００１６】
カフ５は、固定側部５ｂがトップシート２の側部外面とバックシート３の側部外面とに固着され、固定両端部５ｃがパネル１の幅方向内方へ倒伏した状態でトップシート２の外面に固着されている。カフ５の自由部５ａの頂縁には、長手方向へ延びる弾性部材６（第１弾性部材）が伸長状態で取り付けられている。
【００１７】
カフ５の自由部５ａには、弾性部材６の下方であって固定側部５ｂの側に偏倚した位置に長手方向へ延びる２条の弾性部材７（第２弾性部材）が伸長状態で取り付けられている。弾性部材７は、前後胴周り域２０，２２を除く股下域２１に配置されている。図１では、パネル１がその上面を内側にして長手方向に湾曲し、弾性部材６，７の収縮によってカフ５の自由部５ａがパネル１の上方へ起立している。カフ５の自由部５ａは、弾性部材６の収縮に弾性部材７の収縮が加わることで、パネル１の上面から上方へ起立し易い。
【００１８】
弾性部材７は、カフ５の自由部５ａのほぼ中央に取り付けられていてもよい。また、弾性部材７は、股下域２１のみならず前後胴周り域２０，２２にまで延びていてもよい。
【００１９】
パネル１には、股下域２１の前半分に位置して実質的に円弧を画く脚周り用弾性部材８（第３弾性部材）と、股下域２１の後半分に位置して実質的に円弧を画く脚周り用弾性部材９（第４弾性部材）とが伸長状態で取り付けられている。それら弾性部材８，９は、着用者の左脚周り（図１の右側の脚周り）から股下域２１の長手方向中央部を横切って右脚周り（図１の左側の脚周り）に延びている。弾性部材８は、股下域２１の長手方向中央部においてＵ字状を画き、股下域２１の長手方向中央部に位置してパネル１を横切る中間部分８ａと、サイドフラップ１０に位置する両側部分８ｂとを有する。弾性部材９は、股下域２１の長手方向中央部において逆Ｕ字状を画き、股下域２１の長手方向中央部に位置してパネル１を横切る中間部分９ａと、サイドフラップ１０に位置する両側部分９ｂとを有する。それら弾性部材８，９の中間部分８ａ，９ａは、股下域２１の中央部で長手方向へ所定寸法離間している。弾性部材８，９の中間部分８ａ，９ａの両側には、弾性部材７の中央部分７ａが立体的に交差している。
【００２０】
サイドフラップ１０は、コア４の側縁の外側近傍で終わるトップシート２の側部から幅方向外方へ延びるバックシート３の側部とカフ５の固定側部５ｂとから形成されている。
【００２１】
パネル１の前後胴周り域２０，２２には、両端縁２４に沿って幅方向へ延びるフィルム状の胴周り用弾性部材１１，１２が取り付けられている。胴周り用弾性部材１１，１２は、トップシート２とバックシート３との間に介在し、それらシートのうちの少なくとも一方の内面に伸長状態で固着されている。図１では、それら弾性部材８，９，１１，１２の伸長状態が解除され、両側縁２３と両端縁２４とに沿ってギャザーが形成されている。
【００２２】
後胴周り域２２には、両側縁２３からパネル１の幅方向内方へ延びる一対のテープファスナ１３の基端部が固着されている。テープファスナ１３の自由端部には、粘着剤が塗布されている。前胴周り域２０におけるバックシート３の外面には、テープファスナ１３の止着域となるターゲットテープが取り付けられている。テープファスナ１３の自由端部をその内面に塗布された粘着剤を介してターゲットテープに止着すると、胴周り開口と左右一対の脚周り開口とが形成される（図示せず）。
【００２３】
パネル１では、カフ５の自由部５ａに取り付けられた弾性部材７の中央部分７ａが弾性部材８，９の中間部分８ａ，９ａの両側と立体的に交差し、パネル１の着用時にそれら弾性部材７，８，９が協働して着用者の脚周りを囲むので、股下域２１からの排泄物の横漏れ防止を向上させることができる。
【００２４】
図２は、図１のＡ−Ａ線断面図であって、カフ５の自由部５ａがパネル１の上面から上方へ起立した状態で示されている。パネル１では、弾性部材６，７の収縮によってカフ５の自由部５ａが縮み、自由部５ａに上下方向へ延びる多数の襞５ｄが形成されている。襞５ｄは、カフの自由部５ａがパネル１の幅方向内方へ折れ曲がることを阻止し、自由部５ａを倒れ難くしている。股下域２１の長手方向中央部を横切る弾性部材８，９の中間部分８ａ，９ａは、バックシート３とコア４との間に介在し、バックシート３の内面に間欠的に固着されている。弾性部材８，９の両側部分８ｂ、９ｂは、トップシート２とバックシート３との間に介在し、それらシート２，３の少なくとも一方の内面に固着されている。
【００２５】
図３は、図１のＢ−Ｂ線端面図である。弾性部材７と弾性部材９とが交差する部分では、弾性部材７が弾性部材９の上方へ所定寸法だけ離間している。弾性部材７と弾性部材８とが交差する部分においても、弾性部材７が弾性部材８の上方へ所定寸法だけ離間している（図示せず）。弾性部材８，９の中間部分８ａ，９ａの両側は、トップシート２とバックシート３との間に介在し、それらシート２，３の少なくとも一方の内面に固着されている。
【００２６】
サイドフラップ１０では、トップシート２の側部がコア４の側縁から幅方向外方へわずかに延びてコア４の側縁の外側近傍で終わり、トップシート２の側部からさらに幅方向外方へバックシート３の側部とカフ５の固定側部５ｂとが延びている。サイドフラップ１０では、トップシート２の側部がバックシート３の側部とカフ５の固定側部５ｂとの間に介在し、トップシート２の側部とバックシート３の側部とカフ５の固定側部５ｂとが互いに固着されている。トップシート２の側部は、サイドフラップ１０の側縁２３にまで延びていない。カフ５の自由部５ａは、弾性部材６，７を被覆するようにパネル１の幅方向内方へ折り重ねられている。弾性部材６，７は、自由部５ａに固着されている。
【００２７】
弾性部材６，７と弾性部材８，９とは、それらの伸長応力が異なっていてもよく、たとえば、それら弾性部材６，７，８，９の伸長応力が、弾性部材８，９＞弾性部材６，７、弾性部材８，９＞弾性部材６＞または＜あるいは＝弾性部材７であってもよい。
【００２８】
図４は、積層パネル１で構成された図１とは異なる態様のおむつの斜視図である。パネル１は、トップシート２と、バックシート３と、それらシート２，３の間に介在する吸液性コア４とから形成されている。パネル１には、前後胴周り機２０，２２と、それら胴周り域の間に位置する股下域２１とが画成されている。パネル１は、幅方向へ延びる両端縁２４を有する。パネル１には、コア４の両側縁から幅方向外方へ延出し、股下域２１における幅狭い部分と前後胴周り域２０，２２における幅広い部分とを有する一対のサイドフラップ１０が形成されている。サイドフラップ１０は、股下域においてパネル１の幅方向内方へ湾曲する両側縁２３を有する。
【００２９】
サイドフラップ１０の内面には、コアの両側縁の外側に位置して長手方向へ延びる一対の不透液性防漏カフ５が配置されている。カフ５は、自由部５ａと固定側部５ｂと固定両端部５ｃとを有する。カフ５の固定側部５ｂと固定両端部５ｃとの形状は、バックシート３の側部の形状と同じである。
【００３０】
カフ５は、固定側部５ｂがトップシートの側部外面とバックシート３の側部外面とに固着され、固定両端部５ｃがパネル１の幅方向内方へ倒伏された状態でトップシート２の外面に固着されている。カフ５の自由部５ａの頂縁には、長手方向へ延びる弾性部材６（第１弾性部材）が伸長状態で取り付けられている。
【００３１】
カフ５の自由部５ａには、弾性部材６の下方であって固定側部５ｂの側に偏倚した位置に長手方向へ延びる２条の弾性部材７（第２弾性部材）が伸長状態で取り付けられている。弾性部材７は、カフ５の長手方向中央部を頂部とするように、パネル１の幅方向内方へ湾曲し、前後胴周り域２０，２２にまで延びている。図４では、パネル１がその上面を内側にして長手方向へ湾曲し、カフ５の自由部５ａが弾性部材６，７の収縮によってパネル１の上方へ起立している。
【００３２】
パネル１には、前後胴周り域２０，２２に位置してパネル１の幅方向へ直状に延びる脚周り用弾性部材８，９（第３および第４弾性部材）が伸長状態で取り付けられている。弾性部材８，９の幅方向両側には、弾性部材７の中央部分７ａが立体的に交差している。おむつの着用時には、それら弾性部材７，８，９が協働して着用者の脚周りを囲むので、股下域２１からの排泄物の横漏れ防止を向上させることができる。
【００３３】
サイドフラップ１０は、コア４の側縁から幅方向外方へわずかに延びるトップシート２の側部と、トップシート２の側部からさらに幅方向外方へ延びるバックシート３の側部およびカフ５の固定側部５ｂとから形成されている。パネル１の前後胴周り域２０，２２には、両端縁２４に沿って幅方向へ延びるフィルム状の胴周り用弾性部材１１，１２が取り付けられている。後胴周り域２２には、両側縁２３からパネル１の幅方向内方へ延びる一対のテープファスナ１３の基端部が固着されている。
【００３４】
トップシート２には、不織布や開孔プラスチックフィルム等の透液性のシート、好ましくは透液性であって疎水性のシートが使用される。バックシート３には、不透液性のプラスチックフィルムまたはプラスチックフィルムと疎水性不織布とのラミネートシート、好ましくは通気不透液性のシートが使用される。防漏カフ５には、通気性不織布、好ましくは通気不透液性の不織布シートが使用される。不織布としては、坪量５〜１５０ｇ／ｍ２の繊維からなるスパンボンド不織布、スパンレース不織布、メルトブローン不織布を使用することができる。コア４は、フラッフパルプと高吸収性ポリマー粒子との混合物であり、所定の厚みに圧縮され、全体がテッシュペーパー等の透水シートによって被覆されている。部材の固着、取り付けには、ホットメルト接着剤等の接着剤や粘着剤、各部材に対する熱溶着の技術を利用することができる。
【００３５】
この発明は、開放型の使い捨ておむつの他にパンツ型の使い捨ておむつにも適用することができる。また、脚周り用弾性部材が股下域２１の長手方向中央部においてＵ字状と逆Ｕ字状とを画くものではなく、一対の脚周り用弾性部材がパネルのサイドフラップに沿って延びているおむつにも適用することができる。
【００３６】
【発明の効果】
本発明に係る使い捨ておむつによれば、カフの自由部における固定側部の側に偏倚した位置に取り付けられた第２弾性部材が、カフを起立させ易くするとともにカフの倒伏を防ぎ、第３および第４弾性部材（脚周り用弾性部材）と協働して着用者の脚周りを囲むので、股下域からの排泄物の横漏れ防止を向上させることができる。
【図面の簡単な説明】
【図１】おむつの部分破断斜視図。
【図２】図１のＡ−Ａ線断面図。
【図３】図１のＢ−Ｂ線端面図
【図４】図１とは異なる態様のおむつの斜視図。
【符号の説明】
１            積層パネル
２            透液性トップシート
３            不透液性バックシート
４            吸液性コア
５            不透液性防漏カフ
５ａ          自由部
５ｂ          固定側部
５ｃ          固定両端部
６            弾性部材（第１弾性部材）
７            弾性部材（第２弾性部材）
７ａ          中央部分
８            脚周り用弾性部材（第３弾性部材）
８ａ          中間部分
８ｂ          両側部分
９            脚周り用弾性部材（第４弾性部材）
９ａ          中間部分
９ｂ          両側部分
１０            サイドフラップ
２０            前胴周り域
２１            股下域
２２            後胴周り域
【図１】
0003550041.tif 000002
【図２】
0003550041.tif 000003
【図３】
0003550041.tif 000004
【図４】
0003550041.tif 000005